(57)【要約】      （修正有）【課題】第１形態と第２形態に可逆的に変形させる以外の楽しさおよび面白さを遊戯者に提供することができる変形玩具を提供する。【解決手段】変形玩具１０は第１形態と第２形態とに可逆的に変形可能な変形玩具であって、主体部１１と、主体部に接続された副体部１３及び１４とを備えている。主体部１１は、第１面及び第２面を有する物品を着脱可能に装着可能な保持部１２を有している。保持部１２は、第１形態で保持部１２に物品が装着された状態において、物品の第１面の少なくとも一部を露出するように構成される。【選択図】図１
2019063311.tif 000002
【特許請求の範囲】
【請求項１】
第１形態と当該第１形態とは異なる第２形態とに可逆的に変形可能な変形玩具であって、
主体部と、前記主体部に接続された１以上の副体部とを備え、
前記主体部は、第１面及び第２面を有する物品を着脱可能に装着可能な保持部を有し、
前記保持部は、前記第１形態で前記保持部に前記物品が装着された状態において、前記物品の前記第１面の少なくとも一部が露出するように構成される、
変形玩具。
【請求項２】
前記保持部は、前記第１形態で前記保持部に前記物品が装着された状態において、前記物品の前記第２面の少なくとも一部が露出するように構成される、
請求項１に記載の変形玩具。
【請求項３】
前記保持部は、前記第２形態で前記保持部に前記物品が装着された状態において、前記物品の前記第１面の少なくとも一部が露出するように構成される、
請求項１に記載の変形玩具。
【請求項４】
前記保持部は、前記第２形態で前記保持部に前記物品が装着された状態において、前記物品の前記第２面の少なくとも一部が露出するように構成される、
請求項３に記載の変形玩具。
【請求項５】
前記保持部に前記物品が装着された状態における当該物品の前記第１面の露出面積は、当該物品の前記第２面の露出面積よりも大きい、
請求項２または４に記載の変形玩具。
【請求項６】
前記第１形態で前記保持部に前記物品が装着された状態における当該物品の前記第１面の露出面積および前記第２面の露出面積は、前記第２形態で前記保持部に前記物品が装着された状態における当該物品の前記第１面の露出面積および前記第２面の露出面積とは異なる、
請求項５の記載の変形玩具。
【請求項７】
前記主体部は、前記第１形態で第１向きとなり、前記第２形態で前記第１向きとは異なる第２向きとなるように構成される、
請求項１〜６のいずれか１項に記載の変形玩具。
【請求項８】
前記第１向きは縦向きであり、前記第２向きは横向きである、
請求項７に記載の変形玩具。
【請求項９】
前記第１形態は人形態であり、前記第２形態は動物形態である、
請求項１〜８のいずれか１項に記載の変形玩具。
【請求項１０】
前記保持部には、開口部が形成され、
前記開口部は、前記保持部に前記物品を装着したときに当該物品によって閉塞されるように構成される、
請求項１〜９のいずれか１項に記載の変形玩具。
【請求項１１】
前記保持部は、前記開口部の周囲の少なくとも一部に挟持部を有し、
前記挟持部は、前記保持部に前記物品を装着したときに当該物品を挟持するように構成される、
請求項１０に記載の変形玩具。
【請求項１２】
前記保持部は、前記物品を支持する支持部を有し、
前記支持部は、前記保持部に前記物品を装着したときに当該物品の前記第２の面を支持するように構成される、
請求項１１に記載の変形玩具。
【請求項１３】
前記物品は、外形が矩形状のカードであり、
前記保持部は、前記物品を２以上重畳状態で保持可能である、
請求項１〜１２のいずれか１項に記載の変形玩具。
【請求項１４】
前記変形玩具は、主体部に着脱可能に接続可能な１以上の装飾部をさらに備える、
請求項１〜１３のいずれか１項に記載の変形玩具。
【請求項１５】
前記装飾部は、前記第１形態及び前記第２形態で前記保持部に前記物品が装着された状態において、前記物品の露出を部分的に遮るように構成される、
請求項１４に記載の変形玩具。
【請求項１６】
前記主体部は、略直方体状を成す、
請求項１〜１５のいずれか１項に記載の変形玩具。
【請求項１７】
前記主体部は、前記第１形態において胴部を構成する部分である、
請求項１６に記載の変形玩具。
【請求項１８】
副体部は、２以上用意され、
前記副体部のうちの何れかは、前記主体部の相対する２つの側部それぞれに着脱可能に接続可能な部分を有し、残りの何れかは、前記主体部の前記相対する２つの側部とは異なる側部に着脱可能に接続可能な部分を有する、
請求項１６または１７記載の変形玩具。
【請求項１９】
前記副体部のうちの何れかは、前記第１形態において腕部を構成する部分であり、前記残りの何れかは、前記第１形態において脚部を構成する部分である、
請求項１８に記載の変形玩具。
【請求項２０】
請求項１〜１９のいずれか１項に記載の変形玩具と、前記変形玩具の前記保持部に着脱可能に装着可能な、第１面及び第２面を有する１以上の物品とを備える、
変形玩具セット。
【請求項２１】
前記物品の前記第１面と前記第２面には異なる絵柄が付されている、
請求項２０に記載の変形玩具セット。
【発明の詳細な説明】
【技術分野】
【０００１】
本発明は、第１形態と当該第１形態とは異なる第２形態とに可逆的に変形可能な変形玩具と、この変形玩具と当該変形玩具に装着可能な物品とを備えた変形玩具セットに関する。
【背景技術】
【０００２】
後記特許文献１には、第１形態と当該第１形態とは異なる第２形態とに可逆的に変形可能な変形玩具が開示されている。しかしながら、この変形玩具を含むこの種の変形玩具は、第１形態から第２形態への変形と第２形態から第１形態への変形を主眼としたものであるため、当該変形以外の楽しさ及び面白さを遊戯者に提供することは難しい。
【先行技術文献】
【特許文献】
【０００３】
【特許文献１】特開２０１５−０１２９３０号公報
【発明の概要】
【発明が解決しようとする課題】
【０００４】
本発明が解決しようとする課題は、第１形態と第２形態とに可逆的に変形させる以外の楽しさおよび面白さを遊戯者に提供することができる変形玩具と、この変形玩具と当該変形玩具に装着可能な物品とを備えた変形玩具セットを提供することにある。
【課題を解決するための手段】
【０００５】
前記課題を解決するため、本発明に係る変形玩具は、第１形態と当該第１形態とは異なる第２形態とに可逆的に変形可能な変形玩具であって、主体部と、前記主体部に接続された１以上の副体部とを備え、前記主体部は、第１面及び第２面を有する物品を着脱可能に装着可能な保持部を有し、前記保持部は、前記第１形態で前記保持部に前記物品が装着された状態において、前記物品の前記第１面の少なくとも一部が露出するように構成される。
【０００６】
また、本発明に係る変形玩具セットは、前掲の変形玩具と、当該変形玩具の前記保持部に着脱可能に装着可能な、第１面及び第２面を有する１以上の物品とを備える。
【発明の効果】
【０００７】
本発明に係る変形玩具、及び変形玩具セットによれば、第１形態と第２形態とに可逆的に変形させる以外の楽しさ及び面白さを遊戯者に提供することができる。
【図面の簡単な説明】
【０００８】
【図１】図１（Ａ）は本発明を適用した変形玩具の第１形態の前面図、図１（Ｂ）は同第１形態の後面図である。
【図２】図２は第１形態の変形玩具の図１（Ａ）対応の分解図である。
【図３】図３（Ａ）は本発明を適用した変形玩具の第２形態の上面図、図３（Ｂ）は同第２形態の右側面図である。
【図４】図４（Ａ）は本発明を適用した物品の第１面を示す図、図４（Ｂ）は図４（Ａ）に示した物品の第２面を示す図である。
【図５】図５（Ａ）は第１形態の変形玩具に物品を装着した状態を示す図１（Ａ）対応図、図５（Ｂ）は同状態を示す図１（Ｂ）対応図である。
【図６】図６は第２形態の変形玩具に物品を装着した状態を示す図３（Ａ）対応図である。
【図７】図７（Ａ）は第１形態の変形玩具の第１装飾部に物品を装着した状態を示す図５（Ａ）対応の部分図、図７（Ｂ）は第２形態の変形玩具の第１装飾部に物品を装着した状態を示す図６対応の部分図である。
【発明を実施するための形態】
【０００９】
まず、図１および図２を用いて、本発明を適用した変形玩具１０の構成について説明する。なお、後記第１形態（一例として人形態）にあっては、図１（Ａ）の手前側を前、奥側を後、左側を左、右側を右、上側を上、下側を下と表記し、他の図についてもこれらに準じて向きを表記する。また、後記第２形態（一例として動物形態）にあっては、図５（Ａ）の左側を前、右側を後、手前側を右、奥側を左、上側を上、下側を下と表記し、他の図についてもこれらに準じて向きを表記する。
【００１０】
この変形玩具１０は、第１形態と当該第１形態とは異なる第２形態とに可逆的に変形可能であり、第１形態は一例として２足歩行の人形態（図１を参照）、第２形態は一例として４足歩行の動物形態（図３を参照）である。図１に示した第１形態（人形態）に基づいて説明すると、変形玩具１０は、図１（Ａ）及び図１（Ｂ）に示したように、主体部１１と、計４個の副体部１３及び１４と、第１装飾部１５と、第２装飾部１６と、第３装飾部１７とを備え、主体部１１は後記物品２０を着脱可能に装着可能な保持部１２を有している。
【００１１】
ここで、後の説明が理解しやすくなるように、図４を用いて、物品２０について説明する。物品２０は外形が略矩形状のカードであり、第１面２１と第２面２２には異なる絵柄が付されている。物品２０の主材は厚紙や合成樹脂シート等であり、絵は印刷や印刷シートの貼り付け等によって第１面２１と第２面２２に付されている。第１面２１と第２面２２の一方に設けられた絵柄、例えば第１面２１に設けられた絵柄は、図５（Ａ）に示したように第１形態（人形態）の前側に現れることを考慮したものであり、第１面２１と第２面２２の他方に付された絵、例えば第２面２２に付された絵は、図５（Ｂ）に示したように第１形態（人形態）の後側に現れることを考慮したものである。第１面２１に付された絵の具体例としては、特定キャラクターの顔及び胸を含む部分を挙げることができ（図４（Ａ）を参照）、また、第２面２２に付された絵の具体例としては、第１面２１に付された特定キャラクターに対応付けられた攻撃種類等を示すエフェクトを挙げることができる（図４（Ｂ）を参照）。また、物品２０は、好みに応じて交換できるように第１面２１の絵柄と第２面２２の絵柄が異なるものが２種類以上用意されていることが好ましい。
【００１２】
主体部１１は略直方体状を成し、下側中央に張出部１１ａを有している。この主体部１１は、第１形態（人形態）において胴部を構成する部分である。また、計４個の副体部１３及び１４のうち、２個の副体部１３は第１形態（人形態）において腕部を構成する部分であり、残りの２個は第１形態（人形態）において脚部を構成する部分である。すなわち、第１形態（人形態）は２本の脚を有するものであるため、当該脚を用いて、テーブルや机やラック等の平らな面に自立させることができる。ちなみに、この自立状態における主体部１１の向きは、縦向き（鉛直向きまたはこれに近い向きを指す）である。
【００１３】
保持部１２には、内形が矩形状で主体部１１を前後方向に貫通した開口部１２ａが形成され、開口部１２ａの上側を除く周囲に設けられた凹溝から成る挟持部１２ｂと、開口部１２ａの周囲の上側に設けられた出入口１２ｃと有している。出入口１２ｃは物品２０を保持部１２に装着するときに用いられる部分であり、挟持部１２ｂは保持部１２に装着された物品２０の周囲を挟持状態または挟持に近い状態で保持する部分である。開口部１２ａは、保持部１２に物品２０が装着された状態において当該物品２０によって閉塞されるものであって、当該物品２０の第１面２１の周囲を除く部分が前から見えるように露出するとともに、当該物品２０の第２面２２の周囲を除く部分が後ろから見えるように露出する部分である。ちなみに、物品２０の厚さにもよるが、当該厚さが薄い場合には２以上の物品２０を重畳状態で保持部１２に装着することも可能である。また、保持部１２には、保持部１２に物品２０を装着したときに物品２０の第２面２２を支持する不図示の支持部を有し、これにより、保持部１２への物品２０の装着をスムーズに行うことができるとともに、装着後（物品２０の保持状態）においても物品２０への不意な圧力等による物品２０の変形等を防止することができる。
【００１４】
第１形態（人形態）において腕部を構成する２個の副体部１３それぞれは、図２に示したように、主体部１１の左側と右側のそれぞれに設けられた基礎部分１３ａと、基礎部分１３ａに着脱可能に接続された第１部分１３ｂと、第１部分１３ｂに着脱可能に接続された第２部分１３ｃと、第２部分１３ｃに着脱可能に接続された第３部分１３ｄとによって構成される。基礎部分１３ａは、図１（Ａ）及び図２において、左右方向の軸線を中心とした回転と、前後方向の軸線を中心とした回転を可能としている。各部分の着脱可能な接続は凸部と凹部との嵌め合いによるものであり、基礎部分１３ａには凸部１３ａ１が設けられ、第１部分１３ｂには凹部１３ｂ１と凸部１３ｂ２が設けられ、第２部分１３ｃには凹部１３ｃ１及び１３ｃ２が設けられ、第３部分１３ｄには凸部１３ｄ１が設けられている。
【００１５】
また、第１形態（人形態）において脚部を構成する２個の副体部１４それぞれは、図２に示したように、主体部１１の下側、詳しくは同下側にある張出部１１ａの左面と右面のそれぞれに設けられた基礎部分１４ａと、基礎部分１４ａに着脱可能に接続された第１部分１４ｂと、第１部分１４ｂに着脱可能に接続された第２部分１４ｃと、第２部分１４ｃに着脱可能に接続された第３部分１４ｄとよって構成されている。基礎部分１４ａは、図１（Ａ）及び図２において、前後方向の軸線を中心とした回転を可能としている。各部分の着脱可能な接続は前記２個の副体部１３と同様の凸部と凹部との嵌め合いによるものであり、基礎部分１４ａには凸部１４ａ１が設けられ、第１部分１４ｂには凹部１４ｂ１と凸部１４ｂ２の他に、凹部１４ｂ１と向きが異なる凹部１４ｂ３が設けられ、第２部分１４ｃには凹部１４ｃ１及び１４ｃ２が設けられ、第３部分１４ｄには凸部１４ｄ１が設けられている。ちなみに、第３部分１４ｄは前後方向の軸線を中心とした回転を可能した部位（符号省略）を有しており、凸部１４ｄ１は当該部位に設けられている。
【００１６】
図２には、２個の副体部１３それぞれを構成する各部分の着脱可能に相互接続を行う手段、及び２個の副体部１４それぞれを構成する各部分を着脱可能に相互接続を行う手段として、円柱状の凸部と当該凸部が嵌め込み可能な円柱状の凹部を示したが、繰り返しの接続及びその解除によって凸部と凹部の嵌め合いが緩くなってしまうような場合には、先端に球状部を有する凸部を採用するとともに、当該凸部の球状部を弾性的に保持するバネ部を凹部内に設けるようにしてもよい。
【００１７】
また、図２には、２個の副体部１３それぞれの基礎部分１３ａと、２個の副体部１４それぞれの基礎部分１４ａが、主体部１１に固定されているものを描いているが、２個の副体部１３それぞれの基礎部分１３ａを、前記の如き手段を用いて、主体部１１の左側と右側に着脱可能に接続できるようにしてもよいし、２個の副体部１４それぞれの基礎部分１４ａを、前記の如き手段を用いて、主体部１１の下側に着脱可能に接続できるようにしてもよい。
【００１８】
第１装飾部１５は、３本の棒状部分を有する櫛歯状を成し、主体部１１の上側に設けられている。この第１装飾部１５が主体部１１に設けられた保持部１２の出入口１２ｃを閉じている場合には（図３（Ｂ）を参照）、当該第１装飾部１５は開閉式や着脱式とすることが好ましい。勿論、この第１装飾部１５が主体部１１に設けられた保持部１２の出入口１２ｃを閉じておらず、第１装飾部１５と出入口１２ｃとの隙間から保持部１２への物品２０の差し込みおよび引き抜きが可能であれば、第１装飾部１５は主体部１１の上側に固定されていてもよい。
【００１９】
第２装飾部１６は、稲妻を模した形を成し、主体部１１の前面の両側それぞれに略対称に設けられている。図１（Ａ）から分かるように、各第２装飾部１６の一部は保持部１２の開口部１２ａ内に入り込んでいる。すなわち、各第２装飾部１６は、保持部１２に物品２０が装着された状態において、当該物品２０の開口部１２ａからの露出を部分的に遮るようになっている（図５（Ａ）を参照）。
【００２０】
第３装飾部１７は、武器を模した形を成し、主体部１１の後面の下側に設けられている。図１（Ｂ）から分かるように、第３装飾部１７の一部は保持部１２の開口部１２ａ内に入り込んでいる。すなわち、第３装飾部１７は、保持部１２に物品２０が装着された状態において、当該物品２０の開口部１２ａからの露出を部分的に遮るようになっている（図５（Ｂ）を参照）。
【００２１】
次に、図１〜図３を用いて、図１に示した第１形態（人形態）の変形玩具１０を図３に示した第２形態（動物形態）に変形させる方法について説明する。なお、ここで説明する方法はあくまでも一例であって、変形方法を制限するものではない。
【００２２】
変形玩具１０を第１形態（人形態）から第２形態（動物形態）に変形させるときには、図１（Ａ）において、腕部を構成する２個の副体部１３それぞれから第３部分１３ｄを外し、基礎部分１３ａ、第１部分１３ｂ及び第２部分１３ｃの全体を右から見て時計回り方向に約９０度回転させる。また、図１（Ａ）において、脚部２を構成する２個の副体部１３それぞれから第１部分１４ｂ、第２部分１４ｃ、及び第３部分１３ｄを外し、第１部分１４ｂの凹部１４ｂ３を基礎部分１３ａの凸部１４ａ１に嵌め込み、第３部分１３ｄの向きを約９０度変える。
【００２３】
このようにすると、２個の副体部１３（第３部分１３ｄを除く）と２個の副体部１４のそれぞれが脚となり、図３（Ａ）及び図３（Ｂ）に示した第２形態（動物形態）に変化する。すなわち、第２形態（動物形態）は４本の脚を有するものとなるため、当該脚を用いて、テーブルや机やラック等の平らな面に自立させることができる。ちなみに、この自立状態では、主体部１１は前記縦向きとは異なる横向き（水平向きまたはこれに近い向きを指す）となる。
【００２４】
一方、変形玩具１０を第２形態（動物形態）から第１形態（人形態）に変形させるときには、前記とは逆の手順を実施して、変形玩具１０を図１（Ａ）および図１（Ｂ）に示した第１形態（人形態）に戻せばよい。すなわち、遊戯者は第１形態（人形態）と当該第１形態とは異なる第２形態（動物形態）との可逆的な変形を繰り返し行うことができる。
【００２５】
次に、図５および図６を用いて、第１形態（人形態）と第２形態（動物形態）とのそれぞれにおいて、主体部１１の保持部１２に物品２０を装着した状態について説明する。
【００２６】
図１に示した第１形態（人形態）に基づいて説明すると、第１装飾部１５が主体部１１の上側に固定されていて、かつ、第１装飾部１５と出入口１２ｃとの隙間から保持部１２への物品２０の差し込み及び引き抜きが可能な場合には、当該隙間を利用して、物品２０を保持部１２に装着する。また、第１装飾部１５が開閉式や着脱式の場合には、当該第１装飾部１５を動作させた後に、物品２０を保持部１２に装着する。また、保持部１２への物品２０を装着するときには、当該物品２０の第１面２１が前側に現れ、第２面２２が後側に現れるようにする。
【００２７】
このようにして主体部１１の保持部１２に物品２０を装着すると、第１形態（人形態）を前から見たときには、図５（Ａ）に示したように、第１面２１の少なくとも一部が開口部１２ａから露出する。具体的には、第１面２１に設けられた絵柄が特定キャラクターの顔及び胸を含む部分の場合には、当該キャラクターの顔及び胸の一部が開口部１２ａから露出する。各第２装飾部１６の一部が開口部１２ａ内に入り込んでいるため、各々の入り込んだ部分によって第１面２１の露出が部分的に遮られるが、各第２装飾部１６は稲妻を模した形を成しているため、前記の入り込みによって各第２装飾部１６が前記キャラクターと一体化したような視覚効果が得られる。
【００２８】
また、第１形態（人形態）を後ろから見たときには、図５（Ｂ）に示したように、第２面２２の少なくとも一部が保持部１２の開口部１２ａから露出する。具体的には、第１面２２に設けられた絵が特定キャラクターに対応付けられた攻撃種類等を示すエフェクトの場合には、当該エフェクトの一部が開口部１２ａから露出する。第３装飾部１７の一部が開口部１２ａ内に入り込んでいるため、この入り込んだ部分によって第２面２２の露出が部分的に遮られるが、第３装飾部１７は武器を模した形を成すため、前記の入り込みによって第３装飾部１７が前記エフェクトと一体化したような視覚効果が得られる。
【００２９】
さらに、第１形態（人形態）にあっては、各第２装飾部１６の一部が開口部１２ａ内に入り込んでいる面積は、第３装飾部１７の一部が開口部１２ａ内に入り込んでいる面積よりも小さいため、第１面２１の露出面積は第２面２２の露出面積よりも大きくなっている。
【００３０】
さらに、第１形態（人形態）にあっては、図７（Ａ）に示したように、主体部１１の保持部１２に装着した物品２０と同じもの、又は別のものを第１装飾部１５に装着することが可能であり、この装着によって視覚効果を高めることも可能である。
【００３１】
一方、第２形態（動物形態）を上から見たときには、図６に示したように、図５（Ｂ）と同様、第２面２２の少なくとも一部が保持部１２の開口部１２ａから露出する。第３装飾部１７の一部が開口部１２ａ内に入り込んでいるため、この入り込んだ部分によって第２面２２の露出が部分的に遮られるが、第３装飾部１７は武器を模した形を成しているため、前記の入り込みによって第３装飾部１７が前記エフェクトと一体化したような視覚効果が得られる。
【００３２】
また、第２形態（動物形態）にあっては、図７（Ｂ）に示したように、主体部１１の保持部１２に装着した物品２０と同じもの、又は別のものを第１装飾部１５に装着することが可能であり、この装着によって視覚効果を高めることも可能である。
【００３３】
ちなみに、図６に示した第２形態（動物形態）をテーブルや机やラック等の平らな面に自立させた状態では第１面２１を直視することは難しくなるが、図５（Ａ）と同様、第１面２１の少なくとも一部は保持部１２の開口部１２ａから露出している。
【００３４】
次に、変形玩具１０によって得られる主たる作用効果について説明する。
【００３５】
〈作用効果１〉変形玩具１０が第１形態（一例として人形態）と当該第１形態とは異なる第２形態（一例として動物形態）とに可逆的に変形可能であるため、第１形態（人形態）から第２形態（動物形態）への変形と第２形態（動物形態）から第１形態（人形態）への変形とに基づく楽しさ及び面白さを遊戯者に提供することができる。
【００３６】
〈作用効果２〉変形玩具１０の主体部１１に物品２０を着脱可能に装着可能な保持部１２が設けられており、当該保持部１２に装着された物品２０の第１面２１の少なくとも一部と第２面２２の少なくとも一部を露出できるように構成されるため、第１形態（人形態）と第２形態（動物形態）の両方において、これら露出に基づく視覚面での楽しさ及び面白さを遊戯者に提供することができる。加えて、保持部１２に装着された物品２０を他の物品に交換することにより、露出態様の変化に基づく視覚面での楽しさ及び面白さを遊戯者に提供することができる。この作用効果は、変形玩具１０と物品２０とのセットや変形玩具１０と物品２０と他の物品とのセットを遊戯者が所持することによって、より的確に得ることができる。
【００３７】
すなわち、変形玩具１０及び前記のセットは、変形玩具１０を第１形態（人形態）と第２形態（動物形態）とに可逆的に変形させることよる楽しさ及び面白さを遊戯者に提供できる他、物品２０を保持部１２に装着することや当該物品２０を交換することよる視覚面での新たな楽しさ及び面白さを遊戯者に提供することができる。
【００３８】
次に、前記同様の作用効果が得られる変形玩具１０の変形例について説明する。
【００３９】
〈変形例１〉変形玩具１０として第１形態（人形態）と第２形態（動物形態）とに可逆的に変形可能なものを例示したが、第１形態は人形態以外の形態、例えば動物形態等であってもよいし、第２形態は動物形態以外の形態、例えば第１形態とは異なる人形態や第１形態が動物形態の場合にはこれと異なる動物形態等であってもよい。
【００４０】
〈変形例２〉変形玩具１０として計４個の副体部１３及び１４を有するものを例示したが、副体部１３及び１４の総数は３個以下１個以上であってもよいし、５個以上であってもよい。すなわち、副体部１３及び１４の総数及び形状は所期の第１形態と第２形態に応じて適宜変更することができる。
【００４１】
〈変形例３〉保持部１２の開口部１２ａとして主体部１１を前後方向に貫通したものを例示したが（図１（Ａ）および図１（Ｂ）を参照）、非貫通タイプのもの、すなわち、図１（Ａ）に示した前面側のみが開放し、図１（Ｂ）に示した後面側が閉じているタイプのものを採用してもよい。このような開口部の場合は、物品２０の第１面２１と第２面２２の一方のみしか当該開口部から露出できなくなるが、露出に基づく視覚面での楽しさ及び面白さを遊戯者に提供できることには変わりはない。
【００４２】
〈変形例４〉各第２装飾部１６としてその一部を開口部１２ａ内に入り込ませたもの（図１（Ａ）を参照）を例示し、第３装飾部１７としてその一部を開口部１２ａ内に入り込ませたもの（図１（Ｂ）を参照）を例示したが、各第２装飾部１６と第３装飾部１７を主体部１１に着脱可能に装着でき、かつ、装着位置が変更できるように構成してもよい。このようにすれば、各第２装飾部１６と第３装飾部１７の装着位置を変更することによって、第１面２１の露出面積を第２面２２の露出面積よりも小さくすることも可能であり、同じようにすることも可能である。また、第１形態（人形態）における物品２０の第１面２１の露出面積及び第２面２２の露出面積を、第２形態（動物形態）における物品２０の第１面２１の露出面積及び第２面２２の露出面積とは異ならせることも可能である。
【００４３】
〈変形例５〉物品２０として外形が矩形状のカードを例示し、かつ、主体部１１の保持部１２（開口部１２ａ）の形態としてこのカードに対応したものを例示したが、物品２０の形態としてカード以外の形態を採用することも可能であり、当該カード以外の形態に合わせて主体部１１の保持部１２（開口部１２ａ）の形態を変更することも可能である。
【００４４】
〈変形例６〉主体部１１として略直方体状を成すものを例示したが、必ずしも略直方体状でなくても、例えば図１（Ａ）において前から見たときの外形が長方形以外の多角形や円形や楕円形等であっても所期の保持部１２を設けることは可能である。
【００４５】
〈変形例７〉異なる種別の変形玩具１０を複数用意し、各変形玩具１０を各々接続することで、全体として一体の大型の変形玩具を得ることも可能である。
【符号の説明】
【００４６】
１０…変形玩具、１１…主体部、１２…保持部、１２ａ…開口部、１２ｂ…挟持部、１３，１４…副体部、１５…第１装飾部、１６…第２装飾部、１７…第３装飾部、２０…物品、２１…第１面、２２…第２面。
【図１】
2019063311.tif 000003
【図２】
2019063311.tif 000004
【図３】
2019063311.tif 000005
【図４】
2019063311.tif 000006
【図５】
2019063311.tif 000007
【図６】
2019063311.tif 000008
【図７】
2019063311.tif 000009
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
第１形態と当該第１形態とは異なる第２形態とに可逆的に変形可能な変形玩具であって、
主体部と、前記主体部に接続された１以上の副体部とを備え、
前記主体部は、第１面及び第２面を有する物品を着脱可能に装着可能な保持部であって、開口部が形成された保持部を有し、
前記保持部は、前記第１形態で前記保持部に前記物品が装着された状態において、前記物品の前記第１面の少なくとも一部が露出するように構成され、
前記開口部は、前記保持部に前記物品を装着したときに当該物品によって閉塞されるように構成される、
変形玩具。
【請求項２】
前記保持部は、前記第１形態で前記保持部に前記物品が装着された状態において、前記物品の前記第２面の少なくとも一部が露出するように構成される、
請求項１に記載の変形玩具。
【請求項３】
前記保持部は、前記第２形態で前記保持部に前記物品が装着された状態において、前記物品の前記第１面の少なくとも一部が露出するように構成される、
請求項１に記載の変形玩具。
【請求項４】
前記保持部は、前記第２形態で前記保持部に前記物品が装着された状態において、前記物品の前記第２面の少なくとも一部が露出するように構成される、
請求項３に記載の変形玩具。
【請求項５】
前記保持部に前記物品が装着された状態における当該物品の前記第１面の露出面積は、当該物品の前記第２面の露出面積よりも大きい、
請求項２または４に記載の変形玩具。
【請求項６】
前記第１形態で前記保持部に前記物品が装着された状態における当該物品の前記第１面の露出面積および前記第２面の露出面積は、前記第２形態で前記保持部に前記物品が装着された状態における当該物品の前記第１面の露出面積および前記第２面の露出面積とは異なる、
請求項５の記載の変形玩具。
【請求項７】
前記主体部は、前記第１形態で第１向きとなり、前記第２形態で前記第１向きとは異なる第２向きとなるように構成される、
請求項１〜６のいずれか１項に記載の変形玩具。
【請求項８】
前記第１向きは縦向きであり、前記第２向きは横向きである、
請求項７に記載の変形玩具。
【請求項９】
前記第１形態は人形態であり、前記第２形態は動物形態である、
請求項１〜８のいずれか１項に記載の変形玩具。
【請求項１０】
前記保持部は、前記開口部の周囲の少なくとも一部に挟持部を有し、
前記挟持部は、前記保持部に前記物品を装着したときに当該物品を挟持するように構成される、
請求項１〜９のいずれか１項に記載の変形玩具。
【請求項１１】
前記保持部は、前記物品を支持する支持部を有し、
前記支持部は、前記保持部に前記物品を装着したときに当該物品の前記第２面を支持するように構成される、
請求項１０に記載の変形玩具。
【請求項１２】
前記物品は、外形が矩形状のカードであり、
前記保持部は、前記物品を２以上重畳状態で保持可能である、
請求項１〜１１のいずれか１項に記載の変形玩具。
【請求項１３】
前記変形玩具は、主体部に着脱可能に接続可能な１以上の装飾部をさらに備える、
請求項１〜１２のいずれか１項に記載の変形玩具。
【請求項１４】
前記装飾部は、前記第１形態及び前記第２形態で前記保持部に前記物品が装着された状態において、前記物品の露出を部分的に遮るように構成される、
請求項１３に記載の変形玩具。
【請求項１５】
前記主体部は、略直方体状を成す、
請求項１〜１４のいずれか１項に記載の変形玩具。
【請求項１６】
前記主体部は、前記第１形態において胴部を構成する部分である、
請求項１５に記載の変形玩具。
【請求項１７】
副体部は、２以上用意され、
前記副体部のうちの何れかは、前記主体部の相対する２つの側部それぞれに着脱可能に接続可能な部分を有し、残りの何れかは、前記主体部の前記相対する２つの側部とは異なる側部に着脱可能に接続可能な部分を有する、
請求項１５または１６記載の変形玩具。
【請求項１８】
前記副体部のうちの何れかは、前記第１形態において腕部を構成する部分であり、前記残りの何れかは、前記第１形態において脚部を構成する部分である、
請求項１７に記載の変形玩具。
【請求項１９】
請求項１〜１８のいずれか１項に記載の変形玩具と、前記変形玩具の前記保持部に着脱可能に装着可能な、第１面及び第２面を有する１以上の物品とを備える、
変形玩具セット。
【請求項２０】
前記物品の前記第１面と前記第２面には異なる絵柄が付されている、
請求項１９に記載の変形玩具セット。
【手続補正２】
【補正対象書類名】明細書
【補正対象項目名】０００５
【補正方法】変更
【補正の内容】
【０００５】
本発明に係る変形玩具は、第１形態と当該第１形態とは異なる第２形態とに可逆的に変形可能な変形玩具であって、主体部と、前記主体部に接続された１以上の副体部とを備え、前記主体部は、第１面及び第２面を有する物品を着脱可能に装着可能な保持部であって、開口部が形成された保持部を有し、前記保持部は、前記第１形態で前記保持部に前記物品が装着された状態において、前記物品の前記第１面の少なくとも一部が露出するように構成され、前記開口部は、前記保持部に前記物品を装着したときに当該物品によって閉塞されるように構成される。